【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体と対向する帯電部にて前記像担持体の表面を帯電する帯電部材と、
前記像担持体と接触して現像部を形成し、前記現像部において前記像担持体に正規極性に帯電したトナーを供給してトナー像を形成する現像部材と、
前記像担持体と接触して転写部を形成し、前記転写部において前記像担持体から記録材に前記トナー像を転写する転写部材と、
前記像担持体の回転方向において前記転写部より下流側かつ前記帯電部よりも上流側の前記像担持体の前記表面を露光する露光手段と、
前記帯電部材に帯電電圧を印加する帯電電圧印加手段と、
前記現像部材に現像電圧を印加する現像電圧印加手段と、
前記転写部材に転写電圧を印加する転写電圧印加手段と、
前記露光手段と前記帯電電圧印加手段と前記現像電圧印加手段と前記転写電圧印加手段と、を制御する制御手段と、を有し、
前記制御手段は、前記転写部において記録材に前記トナー像を形成する第１動作と、前記第１動作以外で前記転写部材と前記像担持体とが接触回転する第２動作と、を実行するように制御し、
前記第１動作において記録材に転写されずに前記像担持体上に残った残トナーを前記現像部材により回収する画像形成装置であって、
前記第２動作は、以下の（ｉ）〜（ｉｖ）の工程を含むことを特徴とする画像形成装置、
（ｉ）前記正規極性に帯電したトナーに前記転写部材から前記像担持体に向かう方向の静電気力が作用する向きの電位差が前記転写部材と前記像担持体との間に形成されるように前記転写電圧が印加された前記転写部を、前記帯電部材によって前記正規極性に帯電された前記像担持体の領域が通過する第１の工程、
（ｉｉ）前記第１動作において前記露光手段によって露光する露光量より小さい前記露光量によって前記第１の工程を経た前記領域の露光を行う、もしくは、前記第１の工程を経た前記領域の露光を行わない第２の工程、
（ｉｉｉ）前記帯電部材と前記像担持体との間で放電が発生しない大きさの電位差であって、前記正規極性に帯電したトナーに前記帯電部材から前記像担持体に向かう方向の静電気力が作用する向きの電位差が、前記帯電部材と前記像担持体との間に形成されるように前記帯電電圧が印加された前記帯電部を前記第２の工程を経た前記領域が通過する第３の工程、
（ｉｖ）前記正規極性に帯電したトナーに前記像担持体から前記現像部材に向かう方向の静電気力が作用する向きの電位差が形成されるように前記現像電圧が印加された前記現像部に前記第３の工程を経た前記領域が到達する第４の工程。
【請求項２】
前記第２動作は、前記正規極性に帯電したトナーを前記転写部材から前記像担持体に移動させて前記転写部材を清掃する清掃動作であることを特徴とする請求項１に記載の画像形成装置。
【請求項３】
前記制御手段は、以下の（ｖ）〜（ｖｉｉｉ）の工程を含む前記第２動作を実行するように制御することを特徴とする請求項１に記載の画像形成装置、
（ｖ）前記正規極性に帯電したトナーに前記像担持体から前記転写部材に向かう方向の静電気力が作用する向きの電位差が前記転写部材と前記像担持体との間に形成されるように前記転写電圧が印加された前記転写部を前記像担持体の領域が通過する第５の工程、
（ｖｉ）前記第５の工程を経た前記領域に露光を行う第６の工程、
（ｖｉｉ）前記帯電部材と前記像担持体との間で放電が発生する大きさの電位差であって、前記正規極性に帯電したトナーに前記帯電部材から前記像担持体に向かう方向の静電気力が作用する向きの電位差が、前記帯電部材と前記像担持体との間に形成されるように前記帯電電圧が印加された前記帯電部を前記第６の工程を経た前記領域が通過する第７の工程、
（ｖｉｉｉ）前記正規極性に帯電したトナーに前記像担持体から前記現像部材に向かう方向の静電気力が作用する向きの電位差が形成されるように前記現像電圧が印加された前記現像部に前記第７の工程を経た前記領域が到達する第８の工程。
【請求項４】
前記第２動作は、前記正規極性に帯電したトナーとは逆極性に帯電したトナーを前記転写部材から前記像担持体に移動させて前記転写部材を清掃する清掃動作であることを特徴とする請求項３に記載の画像形成装置。
【請求項５】
前記制御手段は、前記第６の工程において前記露光手段によって露光する露光量が前記第２の工程において前記露光手段によって露光する露光量より大きくなるように制御することを特徴とする請求項３または４に記載の画像形成装置。
【請求項６】
前記制御手段は、前記第７の工程において前記帯電部材に印加する前記帯電電圧の絶対値が前記第１動作において前記帯電部材に印加する前記帯電電圧の絶対値より小さくなるように制御することを特徴とする請求項３〜５のいずれか１項に記載の画像形成装置。
【請求項７】
前記制御手段は、前記第３の工程において前記帯電部材に印加する前記帯電電圧が前記第１動作において前記帯電部材に印加する前記帯電電圧と同じ大きさになるように制御することを特徴とする請求項１〜６のいずれか１項に記載の画像形成装置。
【請求項８】
前記第２動作は、トナーを前記転写部材から前記像担持体に移動させて前記転写部材を清掃する清掃動作であって、
前記制御手段は、前記正規極性に帯電したトナーを前記転写部材から前記像担持体に転移する第１転移工程を、前記正規極性に帯電したトナーとは逆極性に帯電したトナーを前記転写部材から前記像担持体に転移する第２転移工程の後に実行するように制御することを特徴とする請求項１〜７のいずれか１項に記載の画像形成装置。
【請求項９】
前記第２動作は、前記第１動作の実行後に実施することを特徴とする請求項１〜８のいずれか１項に記載の画像形成装置。
【請求項１０】
前記第２動作は、前記第１動作の実行前に実施することを特徴とする請求項１〜８のいずれか１項に記載の画像形成装置。
【請求項１１】
回転可能な像担持体と、
前記像担持体と対向する帯電部にて前記像担持体の表面を帯電する帯電部材と、
前記像担持体と接触して現像部を形成し、前記現像部において前記像担持体に正規極性に帯電したトナーを供給してトナー像を形成する現像部材と、
前記像担持体と接触して転写部を形成し、前記転写部において前記像担持体から記録材に前記トナー像を転写する転写部材と、
前記像担持体の回転方向において前記転写部より下流側かつ前記帯電部よりも上流側の前記像担持体の前記表面を露光する露光手段と、
前記帯電部材に電圧を印加する電圧印加手段と、
前記露光手段と前記電圧印加手段と、を制御する制御手段と、を有し、
前記制御手段は、前記転写部において記録材に前記トナー像を形成する第１動作と、前記正規極性に帯電したトナーを前記転写部材から前記像担持体に転移する転移工程と、前記像担持体に転移した前記付着トナーが前記帯電部を通過する通過工程と、前記帯電部を通過させた前記付着トナーを前記現像部において前記現像部材により回収する回収工程と、を実行する第２動作と、前記正規極性とは逆極性に帯電したトナーを前記転写部材から前記像担持体に転移する転移工程と、前記通過工程と、前記回収工程と、を実行する第３動作と、を実行可能に制御し、
前記第１動作において記録材に転写されずに前記像担持体上に残った残トナーを前記現像部材により回収する画像形成装置において、
前記通過工程において、前記正規極性に帯電したトナーに前記像担持体から前記現像部材に向かう方向の静電気力が作用する向きの電位差が形成された状態で、前記第３動作の前記通過工程において、前記像担持体と前記帯電部材との間で放電が生じる大きさの電位差であって、前記第２動作の前記通過工程における前記電位差よりも大きい前記電位差が形成されるように前記帯電部材に前記電圧を印加した前記帯電部をトナーが通過し、前記回収工程においてトナーを前記現像部材により回収することを特徴とする画像形成装置。
【請求項１２】
前記トナーは一成分現像剤であることを特徴とする請求項１〜１１のいずれか１項に記載の画像形成装置。
【請求項１３】
前記トナーは磁性一成分現像剤であることを特徴とする請求項１〜１１のいずれか１項に記載の画像形成装置。
【手続補正２】
【補正対象書類名】明細書
【補正対象項目名】００１２
【補正方法】変更
【補正の内容】
【００１２】
上記目的を達成するため、本発明は、回転可能な像担持体と、前記像担持体と対向する帯電部にて前記像担持体の表面を帯電する帯電部材と、前記像担持体と接触して現像部を形成し、前記現像部において前記像担持体に正規極性に帯電したトナーを供給してトナー像を形成する現像部材と、前記像担持体と接触して転写部を形成し、前記転写部において前記像担持体から記録材に前記トナー像を転写する転写部材と、前記像担持体の回転方向において前記転写部より下流側かつ前記帯電部よりも上流側の前記像担持体の前記表面を露光する露光手段と、前記帯電部材に帯電電圧を印加する帯電電圧印加手段と、前記現像部材に現像電圧を印加する現像電圧印加手段と、前記転写部材に転写電圧を印加する転写電圧印加手段と、前記露光手段と前記帯電電圧印加手段と前記現像電圧印加手段と前記転写電圧印加手段と、を制御する制御手段と、を有し、前記制御手段は、前記転写部において記録材に前記トナー像を形成する第１動作と、前記第１動作以外で前記転写部材と前記像担持体とが接触回転する第２動作と、を実行するように制御し、前記第１動作において記録材に転写されずに前記像担持体上に残った残トナーを前記現像部材により回収する画像形成装置であって、前記第２動作は、以下の（ｉ）〜（ｉｖ）の工程を含むことを特徴とする画像形成装置、（ｉ）前記正規極性に帯電したトナーに前記転写部材から前記像担持体に向かう方向の静電気力が作用する向きの電位差が前記転写部材と前記像担持体との間に形成されるように前記転写電圧が印加された前記転写部を、前記帯電部材によって前記正規極性に帯電された前記像担持体の領域が通過する第１の工程、（ｉｉ）前記第１動作において前記露光手段によって露光する露光量より小さい前記露光量によって前記第１の工程を経た前記領域の露光を行う、もしくは、前記第１の工程を経た前記領域の露光を行わない第２の工程、（ｉｉｉ）前記帯電部材と前記像担持体との間で放電が発生しない大きさの電位差であって、前記正規極性に帯電したトナーに前記帯電部材から前記像担持体に向かう方向の静電気力が作用する向きの電位差が、前記帯電部材と前記像担持体との間に形成されるように前記帯電電圧が印加された前記帯電部を前記第２の工程を経た前記領域が通過する第３の工程、（ｉｖ）前記正規極性に帯電したトナーに前記像担持体から前記現像部材に向かう方向の静電気力が作用する向きの電位差が形成されるように前記現像電圧が印加された前記現像部に前記第３の工程を経た前記領域が到達する第４の工程。